(57)【要約】【課題】  耐久性，操作性にも優れる釣竿全体の長さを調整して釣りをおこなうことが可能な釣竿を提供する。  【解決手段】  この釣竿は、複数の竿体を振出形式に連結したものである。竿元側端部に尻栓１０が装着されている元竿１と、竿元側端部に尻栓２０が装着されている元上竿２とを有し、元上竿２は元竿１の穂先側に連結されている。底栓２０にはピン爪２３が設けられており、このピン爪２３が元竿１の尻栓１０の爪収納部１２の案内通路に案内されて、係止部Ｘに至る。なお、底栓２０は尻栓１０に当たるとコイルバネ１３により穂先側に付勢される。【選択図】    図２
2005058062.tif 000002
【特許請求の範囲】
【請求項１】
大径竿体と、前記大径竿体の穂先側に振出形式に連結される小径竿体とを備えた釣竿であって、
前記大径竿体の竿元側端部に装着された尻栓と前記小径竿体の竿元側端部に連結された底栓とを備え、
前記尻栓と底栓との何れか一方に、ロック爪を設け、
前記尻栓と底栓との何れか他方に、前記ロック爪が係合される係合部と、前記尻栓と底栓との何れか一方を前記尻栓と底栓との何れか他方から離れる方向に付勢する付勢手段とを設けた釣竿。
【請求項２】
前記底栓は、前記小径竿体の竿元側端部に装着される本体部と、前記本体部の竿元側に延出するように連結されているロック爪とを有し、
前記尻栓は、前記大径本体の竿元側端部に装着される本体部と、前記本体部内に穂先側から前記係止爪を受け入れ可能な爪収納部と、前記爪収納部内に設けられた係合部と、前記本体部の穂先側に突出するコイルバネとを有している、請求項１に記載の釣竿。
【発明の詳細な説明】
【技術分野】
【０００１】
本発明は竿体を振出形式に連結してなる釣竿に関する。特に、隣接する一組の竿体間において、穂先側に位置する竿体を竿元側に位置する収納しながら位置決めすることで、釣竿全体の長さを調整可能な釣竿に関するものである。
【背景技術】
【０００２】
従来の振出形式の釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
また、このような従来の振出形式の釣竿には、竿全体の長さを変化させて釣りを行えるようにしたものがある。即ち、このような釣竿の元竿とその穂先側に連結される元上竿とにおいて、元竿の穂先側に連結される元上竿が穂先側に引き出された状態（以下「延伸状態」という）と元上竿が元竿内に挿入された状態（以下「収納状態」という）とで、元上竿は元竿に嵌合固定されて位置決めされる。そして、状況に応じて竿全体の長さを変化させて釣りを行えるのである。具体的な構造の一例を挙げれば、延伸状態においては、元竿の穂先側端部内周面と元上竿の竿元側端部外周面とが嵌着する。収納状体においては、元竿の竿元側端部に尻栓を装着し、元上竿の竿元側端部をこの尻栓に嵌着させることで両者を嵌合固定可能とする（特許文献１，２等参照）。
【０００４】
このように、従来のこれらの釣竿全体の長さを調整可能な釣竿において、竿体同士を位置決めのために嵌合固定させる手法は、竿体若しくは尻栓などに嵌合部分を形成し、これらを嵌着させるという手法が採用されている。
【０００５】
しかし、このような嵌着による手法では、長期の使用により嵌合力が低下するために、予め嵌着部分の嵌合力をきつめに設定しがちである。このため、使用にあたり、不用意に嵌合部分がきつく嵌着してしまう（固着）という問題等もある。このような嵌着力の低下の防止・調整のために、上述の特許文献１，２等でも様々な工夫を試みているが、嵌着という手法を採用する以上は、その改良にも限界がある。
【特許文献１】特開平2000-354437号公報
【特許文献２】特開平2000-262189号公報
【発明の開示】
【発明が解決しようとする課題】
【０００６】
本発明は、耐久性，操作性にも優れる釣竿全体の長さを調整して釣りをおこなうことが可能な釣竿を提供することにある。
【課題を解決するための手段】
【０００７】
本発明の釣竿は、大径竿体と、大径竿体の穂先側に振出形式に連結される小径竿体とを備えた釣竿であって、大径竿体の竿元側端部に装着された尻栓と小径竿体の竿元側端部に連結された底栓とを備えている。そして、尻栓と底栓との何れか一方に、ロック爪を設ける。また、尻栓と底栓との何れか他方に、ロック爪が係合される係合部と、尻栓と底栓との何れか一方を尻栓と底栓との何れか他方から離れる方向に付勢する付勢手段とを設けている。
【０００８】
この釣竿は、その大径竿体と小径竿体とを以下のようにして、収納状態・延伸状態の何れにおいても相互に連結固定して位置決めできる。まず、延伸状態においては、通常の振出形式の釣竿と同様に、大径竿体の穂先側端部内周面と小径竿体の竿元側端部外周面とを相互に嵌着させる。一方、収納状態においては、底栓と尻栓とを以下のように操作する。
【０００９】
小径竿体を大径竿体内に振出形式に収納して尻栓と底栓と当接させる。付勢手段により、底栓と尻栓とは相互に離間する方向に付勢されているが、底栓と尻栓との何れか一方のロック爪を何れか他方の係合部に係合させ、小径竿体を大径竿体内に収納した収納状体において、両者を軸方向において位置決めする。ロック爪の係合部への係合を解除すれば両者の位置決めが解除される。さらに、付勢手段により両者は離間する方向に付勢されて、小径竿体が大径竿体の穂先側に振り出される。
【００１０】
例えば、底栓は、小径竿体の竿元側端部に装着される本体部と、前記本体部の竿元側に延出するように連結されているロック爪とを有するものとする。そして、尻栓は、大径本体の竿元側端部に装着される本体部と、本体部内に穂先側から係止爪を受け入れ可能な爪収納部と、爪収納部内に設けられた係合部と、本体部の穂先側に突出するコイルバネとを有するものとする。
【００１１】
このような尻栓と底栓とを有する釣竿では、小径竿体を大径竿体内に振出形式に収納し尻栓と底栓とが当接するようにすると、底栓のロック爪が尻栓の爪収納部内に穂先側から収納される。そして、爪収納部内で係止爪が係合部に係合し、小径竿体を大径竿体内に収納した収納状体において、両者を軸方向において位置決めされる。ロック爪の係合を解除すれば、両者の位置決めが解除され、コイルバネにより両者は離間する方向に付勢されて、小径竿体が大径竿体の穂先側に振り出される。
【発明の効果】
【００１２】
本発明の釣竿は、小径竿体と大径竿体との収納状態において両者を嵌着手法によって相互に連結固定し位置決めするものではなく、長期に渡って使用しても固定力が低下し難い。また、付勢手段を用いることでワンタッチの操作が可能となり操作性にも優れる。
【発明を実施するための最良の形態】
【００１３】
［第１実施形態］
以下、本発明の第１実施形態について図面を参照しつつ説明する。
【００１４】
（釣竿全体について）
本発明の第１実施形態を採用した釣竿は、図１に示すように、元竿１と、元竿１の穂先側に連結された元上竿２と、元上竿２の穂先側に連結された元上々竿３と、元上々竿３の穂先側に連結される中竿４と、中竿４の穂先側に連結された穂先竿５とを有している。これら元竿１〜穂先竿５は炭素繊維またはガラス繊維等に合成樹脂を含浸させたプリプレグから形成される先細り筒状部材である。そして、元上竿２〜穂先竿５は穂先側から順次竿元側の竿体の内部に挿入され出し入れ自在になっており、各竿体は穂先側に引き出された状態において、各竿体の穂先側端部内周面とその穂先側に連結される竿体の竿元側端部外周面との嵌着によって連結し相互の軸方向の位置決めが可能ないわゆる振出形式となっている。
【００１５】
元竿１は、外周面に形成されリール（図示せず）を脱着自在に装着可能なリールシート６を有し、後に詳しく説明するように、竿元側端部には、尻栓１０が脱着自在に装着されている。また、元上竿２〜穂先竿５の周面には長手方向に間隔を隔てて複数の釣糸ガイド７が配置されており、リールシート６に取り付けられるリールからの釣糸が順次釣糸ガイド７を通って穂先側に導かれることになる。この釣糸ガイド７は、各竿体の最も穂先側に装着されているものは当該位置に固定されている固定式のガイドであり、その余のガイドは各竿体の周面をスライド移動可能なスライド式のガイドである。スライド式のガイドは竿体の外径に合致するパイプ状の固定部分を有し、竿体の所定の軸方向位置で竿体の周面に嵌着する。また、穂先竿の穂先側端部に装着されているガイドも固定式のガイドであり、いわゆるトップガイド８である。なお、後述のように、元上竿２の竿元側端部には底栓２０が装着されている。
【００１６】
この釣竿では、使用時には穂先竿５より順次穂先側に引き出して各竿体を連結し、スライド式のガイドを所定の竿体の軸方向位置に嵌着させて使用される。一方、使用後には、スライド式のガイドを穂先側にスライド移動させ、穂先竿５より順次竿元側に各竿体を収納してコンパクトな状態となる。もっとも、後述のように、この釣竿の元竿１と元上竿２とにおいては、元上竿２を元竿１内に収納した収納状態と、元上竿２を元竿１の穂先側に引き出した延伸状態との何れにおいても、元上竿２と元竿１とを相互に連結固定できる。
【００１７】
（元竿１と元上竿２について）
次に、元竿１と元が操２とについて詳しく説明する。
【００１８】
図２〜図４に詳しく示すように、元竿１の竿元側端部には尻栓１０が脱着自在に装着されている。尻栓１０は、円柱型の本体部１１と、本体部１１内に収納されている爪収納部１２と、本体部１１の穂先側に延びるコイルバネ１３とからなる。
【００１９】
本体部１１は竿元側端部に周方向外方に張り出したフランジを有する円柱型の部材である。円柱型の部位の外径は元竿１の竿元側端部内径に、また、フランジ部分の外径は元竿１の竿元側端部外径にあわせて調整されている。この本体部１１をフランジ部分を残して元竿１の竿元側端部にはめ込んで、尻栓１０は元竿１に固定されている。なお、本体部１の円柱型の部位の外周面にねじ溝を形成し、元竿１の竿元側端部内周面にもねじ部分を形成し、両者をねじ止めしてもよい。
【００２０】
本体部１１には先端側端面から軸方向に延びる窪みが形成されており、この窪みの中に爪収納部１２が収納されている。爪収納部１２は、図５に詳しく示すように、後述のピン爪２３がその中を移動するための凹溝である移動通路が形成されている。移動通路は、爪収納部１２の穂先側端面から竿元側に向かって延びている。この移動通路は、まず、穂先側方向から見て右側に湾曲し、竿元側に至った後に穂先側に折り返されて、さらに竿元側にUターンする。このUターンする部分は後述のピン爪２３が係止可能な係合部Ｘである。係合部Ｘから再度竿元側に至った移動通路は、さらに、穂先側に折り返されて、爪収納部１２が穂先側方向から見て左側に湾曲して、穂先側において先の移動通路に連通する。ここでは、ピン爪２３の爪収納部１２への挿入時にピン爪２３が誤って左側の通路に入り込まないように、左側の通路と右側の通路との間には段が形成されている。
【００２１】
さらに、本体部１１の爪収納部１２の下側には穂先側に開口した円柱型の通路が形成されている。この通路内にコイルバネ１３が収納されている。コイルバネ１３は竿元側端部において本体部１１に連結され、その穂先側端部は本体部１１より穂先側に突出している。
【００２２】
なお、図２及び図３に示すように、元竿１の竿元側の内部には、尻栓１０の穂先側に隣接するように、方向案内パーツ１４を配置してもよい。方向案内パーツは元竿１内に収納される部材である。穂先側から湾曲した内周面を有する案内通路を有し、この案内通路が上述の爪収納部１２に至っている。
【００２３】
元上竿２の竿元側端部には底栓２０が脱着自在に装着されている。底栓２０は、図２〜４に示すように、本体部２１と、本体部２１の竿元側に設けられた爪板２２と、爪板２２上に配置されるピン爪２３と、爪板２２の下側において本体部２１に設けられた挿入棒２４とを有している。
【００２４】
本体部２１は、竿元側端部に周方向外方に張り出したフランジを有する円柱型の部材である。円柱型の部位の外径は元上竿２の竿元側端部内径に、また、フランジ部分の外径は元上竿２の竿元側端部外径にあわせて調整されている。そして、この本体部２１をフランジ部分を残して元上竿２の竿元側端部にはめ込んで、尻栓２０は元上竿２に固定されている。本体部２１は中空の円筒型であり、その穂先側の開口を塞ぐゴム板２５を取り付けても良い。
【００２５】
本体部２１の竿元側には爪板２２が延びている。この爪板２２の竿元側端部にはその厚さ方向に貫通している溝が左右の幅方向に延びている。また、爪板２２の上面には穂先側を揺動軸とする揺動腕が配置されており、揺動腕の先端（竿元側端部）にピン爪２３が連結されている。そして、上述の爪板２２の溝内に左右方向に移動自在にピン爪２３が配置される。この爪板２２が上述の尻栓１０の本体部１１の窪み内に穂先側から収納され、ピン爪２３の先端側（下側）が爪収納部１２の案内通路内に至ることになる。
【００２６】
挿入棒２４は本体部２１の竿元側端部の下側において竿元側に突出する部分である。上述のコイルバネ１３のコイル内に穂先側から挿入可能なように配置される。
【００２７】
このような元上竿２と元竿１とは、以下のようにして、収納状体及び延伸状態の何れにおいても相互に連結固定され、相互の軸方向が位置決めされる。
【００２８】
まず、延伸状態においては、既に述べたように、通常の振出形式の釣竿と同様に、元竿１の穂先側端部内周面と元上竿２の竿元側端部外周面とを相互に嵌着させる。
【００２９】
一方、収納状態においては、底栓２０と尻栓１０とを以下のように操作する。
【００３０】
まず、元上竿２を元竿１内に振出形式に収納してゆくと、尻栓１０に底栓２０が当たる。この際、底栓２０の爪板２２は方向案内パーツ１４により案内されて尻栓１０の本体部１１の窪みに至る。また、挿入棒２４がコイルバネ１３に穂先側から挿入されてゆく。さらに、爪板２２上のピン爪２３は爪収納部１２の案内通路内に至る。図５（ａ）に示すように、爪収納部１２の案内通路に至ったピン爪２３は、案内通路内を順次竿元側に移動し（穂先側から見て右側の案内通路を移動し）、係合部Ｘに至る。コイルバネ１３は底栓２０の本体部２１を穂先側に付勢しており、ピン爪２３は係合部Ｘに係合することで元竿１と元上竿２とが連結される。
【００３１】
元上竿２と元竿１との連結を解除するにあっては、一度、元上竿２を竿元側に（元竿１内に）押し込み、図５（ｂ）に示すように、ピン爪２３を係合部Ｘから左側の案内通路へと導く。コイルバネ１３により穂先側に付勢されている元上竿２及び底栓２０は穂先側に押し出され、ピン爪２３は案内通路内を穂先側に移動して、底栓２０は尻栓１０から離れる。この釣竿では、以上のようにして、収納状態においても、元竿１に元上竿２を連結できる。底栓２０と尻栓１０とによってワンタッチ操作で、元上竿２の元竿１への連結操作が可能である。
【００３２】
［第２実施形態］
上記第１実施形態の変形例として、尻栓３０と底栓４０とを、図６，図７に示す。この底栓４０と尻栓３０とは、それぞれ、上記第１実施形態と同様に、元上竿２と元竿１との竿元側端部に装着されている部材である。
【００３３】
尻栓３０は、第１実施形態と同様に、円柱型の本体部３１と、本体部３１内に収納されている爪収納部３２と、本体部３１の穂先側に延びるコイルバネ３３とからなる。
【００３４】
本体部３１は竿元側端部に周方向外方に張り出したフランジを有する円柱型の部材である。円柱型の部位の外径は元竿１の竿元側端部内径に、また、フランジ部分の外径は元竿１の竿元側端部外径にあわせて調整されている。本体部３１には左右方向の中央において先端側端面から軸方向に延びる窪みが形成されており、この窪みの中に爪収納部３２が収納されている。爪収納部３２は、図８や図９に詳しく示すように、後述の爪板４２が挿入自在な空間が穂先側端面から竿元側に延びている。その空間の上方が部分的にくり抜かれており、移動通路が形成されている。この移動通路は、図９に示すように、まず、爪収納部３２の穂先側端部から竿元側に延び、竿元側において回転爪４３の回転用のスペースが確保されている。回転用スペースの内壁は回転爪４３の回転を促すための突起や凹部が形成されている。詳細については、回転爪４３の動作に即して後述する。
【００３５】
さらに、本体部３１の爪収納部３２の下側には穂先側に開口した円柱型の通路が形成されている。この通路内にコイルバネ３３が収納されている。コイルバネ３３は竿元側端部において本体部３１に連結されており、穂先側端部は本体部３１の穂先側に突出している。
【００３６】
元上竿２の竿元側端部には、上述の第１実施形態と同様にして、底栓４０が脱着自在に装着されている。底栓４０は、図６〜８に示すように、本体部４１と、本体部４１の竿元側に設けられた爪板４２と、爪板４２上に回動自在に配置される回転爪４３と、爪板４２の下側において本体部４１に設けられた挿入棒４４とを有している。
【００３７】
本体部４１は、竿元側端部に周方向外方に張り出したフランジを有する円柱型の部材である。円柱型の部位の外径は元上竿２の竿元側端部内径に、また、フランジ部分の外径は元上竿２の竿元側端部外径にあわせて調整されている。そして、この本体部４１をフランジ部分を残して元上竿２の竿元側端部にはめ込んで、尻栓４０は元上竿２に固定されている。
【００３８】
本体部４１の竿元側には爪板４２が延びている。この爪板４２はそれ自体が上述の尻栓３０の爪収納部３２の空間内に穂先側から挿入される。また、爪板４２の竿元側の上面には回動軸が配置され、この回動軸を中心に爪板４２上で回転自在となるように回転爪４３が配置されている。回転爪４３は、爪板４２が爪収納部３２の空間内に挿入された際に、空間の上方に形成された移動通路内を移動する（図９参照）。回転爪４３は、図６に詳しく示すような略直方体型の部材である。上面方向から見て矩形型の２つの短辺に凹入する凹部がそれぞれ形成されている。上面方向から見た中央付近に回動軸が貫通しており、この回動軸を中心に上述の爪板４２上で回動する。
【００３９】
挿入棒４４は本体部４１の竿元側端部の下側において竿元側に突出する部分である。第１実施形態と同様に、上述のコイルバネ３３のコイル内に挿入される。
【００４０】
このような元上竿２と元竿１においても、第１実施形態と同様に、収納状体及び延伸状態の何れにおいても相互に連結固定され、相互の軸方向が位置決めされる。
【００４１】
まず、延伸状態においては、通常の振出形式の釣竿と同様に、元竿１の穂先側端部内周面と元上竿２の竿元側端部外周面とを相互に嵌着させる。
【００４２】
一方、収納状態においては、底栓４０と尻栓３０とを以下のように操作する。
【００４３】
まず、元上竿２を元竿１内に振出形式に収納してゆくと、尻栓３０に底栓４０が当たる。この際、底栓４０の爪板４２は尻栓３０の本体部３１の爪収納部３２の空間内に挿入され、回転爪４３は移動通路内を移動する（図９参照）。また、挿入棒４４がコイルバネ３３に穂先側から挿入されてゆく。
【００４４】
ここで、図９（ａ）に示すように、爪収納部３２の案内通路に至った回転爪４３は、案内通路内を順次竿元側に移動する。この際、回転爪４３は案内通路の幅により、回転爪４３の凹部を案内通路の長手方向（尻栓３０の軸方向）に向ける。その後、図９（ｂ）に示すように、回転爪４３は竿元側の回転用スペースに至る。回転用スペースの内壁にはスペース内へ凸出する突起と凹入する窪みが形成されており、回転爪４３の凹部が突起に当たって回転する。コイルバネ３３により穂先側に付勢されている元上竿２及び底栓４０は穂先側に移動し、回転した回転爪４３は、案内通路のスペースの穂先側に当たって、案内通路の内壁に係合する（図９（ｃ）参照）。そして、元竿１と元上竿２とが連結される。
【００４５】
元上竿２と元竿１との連結を解除するにあっては、一度、元上竿２を竿元側に（元竿１内に）押し込み、図９（ｄ）に示すように、回転爪４３を案内通路の回転スペースへと導く。回転スペース内でその内壁に当たった回転爪４３はさらに回転し、スペースの内壁の湾曲面に導かれて、再び回転爪４３の凹部を案内通路の長手方向（尻栓３０の軸方向）に向ける。そして、図９（ｅ）に示すように、案内通路内を穂先側に移動し、コイルバネ３３により穂先側に付勢されている元上竿２及び底栓４０は穂先側に押し出され、底栓４０は尻栓３０から離れる。この釣竿では、以上のようにして、収納状態においても、元竿１に元上竿２を連結できる。底栓４０と尻栓３０とによってワンタッチ操作で、元上竿２の元竿１への連結操作が可能である。
【００４６】
［他の実施形態］
上記実施形態では、尻栓と底栓とにおいて、元上竿に装着されている底栓側にロック用の爪を設けているが、その配置は、底栓と尻栓とで交換することもできる。即ち、尻栓側にロック用の爪を形成してもよい。
【図面の簡単な説明】
【００４７】
【図１】本発明の第１実施形態を採用した釣竿の全体を示した図。
【図２】底栓２０と尻栓１０とを示した図。
【図３】図１の釣竿の元竿１と元上竿２との竿元側部分の拡大断面図。
【図４】図１の釣竿の元竿１と元上竿２との竿元側部分の拡大断面図。
【図５】尻栓１０の爪収納部１２を示した図。
【図６】本発明の第２実施形態を採用した釣竿の底栓４０と尻栓３０とを示した図。
【図７】本発明の第２実施形態を採用した釣竿の底栓４０と尻栓３０とを示した図。
【図８】本発明の第２実施形態を採用した釣竿の底栓４０と尻栓３０とを示した斜視図。
【図９】尻栓３０の爪収納部３２における回転爪４３の動きを示した図。
【符号の説明】
【００４８】
１  元竿
２  元上竿
１０，３０  尻栓
２０，４０  底栓
１１，２１，３１，４１  本体部
１２，３２  爪収納部
１３，３３  コイルバネ
２２，４２  爪板
２３  ピン爪
４３  回転爪
【図１】
2005058062.tif 000003
【図２】
2005058062.tif 000004
【図３】
2005058062.tif 000005
【図４】
2005058062.tif 000006
【図５】
2005058062.tif 000007
【図６】
2005058062.tif 000008
【図７】
2005058062.tif 000009
【図８】
2005058062.tif 000010
【図９】
2005058062.tif 000011